(57)【要約】【課題】（１）水力発電を行った落下水を使い捨てにしている課題です。（２）貯水ダムを設ける課題です。（３）自然を破壊する課題です。（４）水の流れをせき止めて行う課題です。【課題を解決する手段】大きな水槽、及び、タンク内の水中に発電をするための水管を設置し、水力発電をする手段です。この水管の上部から水槽、及び、タンク内の水を吸い込んで落下させて、タービンを回転させ、発電機モーターを回転させて、電気を発生させる水力発電とする手段です。【発明の効果】水槽、及び、タンク内の水を繰り返し、繰り返しして水を再利用する効果です。【特許請求の範囲】
【請求項１】
図に示す管（２）の上部に、水を自然的に吸い込んで落下させるための取水口（１３）を、水槽内水位（１２）よりも下部に設けると、落下弁（１５）よりも上部との間に取水口  （１３）を設けます。この管内に空気を注入するための空気ホース、及び、エアー管（１０）とを設けます。
この管内の上部に管内空気を密閉し、気密を保持させて空洞を作るための仕切板、及び、密閉板（１４）を設けます。
この（１４）の上部に密閉弁、及び、落下弁（１５）と（１４）の下部にゴム筒（１７）とを取り付けます。
この管（２）の下部にタービン（４）を設けます。
この形態の管（２）の管底、及び、最下部を筒抜け状態に開けた開放口にします。
この形態の管（２）を本発明の水管（２）とする方法です。
【請求項２】
水槽兼タンク（１）内の水槽内水位（１２）の水中に、水管（２）を縦にして沈めて、水圧、又は、空気圧等により水管（２）が浮き上がらない様に、水管固定金具（３）、又は、ボルト等により水槽兼タンク内の水中に縦にして沈め、固定し設置する方法です。
【請求項３】
（１）縦に沈め設置した水管（２）内の水を空気圧で水管内水位（１８）まで押下げて、管底の開放口から排水させるため。
（２）管内水位（１８）の上部の空気を密閉し保持して、水を落下させ続けるための空洞を作り出すため。
（３）管底の筒抜けにした開放口から管内に浸水してくる水を、空気圧で防ぐため等を行うために、エアーホース、又は、エアー管（１０）により、水管内に空気を注入する方法です。
【請求項４】
空洞にした管内空気を仕切板、及び、密閉板（１４）と、密閉弁及び落水弁（１５）とにより、管内空気を密閉し気密を保持し水を落下させ続けるための空洞を保つ方法です。
【請求項５】
水管内の空洞が保たれた時点で、密閉弁及び落水弁（１５）を開けて、水槽管内水位（１２）の水位よりも下部に設けた開口部と、落水弁（１５）よりも上部に設けた取水口（１３）により、水を自然的に吸い込んで管内を落下させる方法です。
この落下水をゴム筒（１７）の中を通過させます。そして、ゴム筒の伸縮力により、通過する水が先細りにした部分で絞り込まれて、水とゴム筒の透間がなくなり管内より管外への空気漏れを遮断させる方法です。
【請求項６】
ゴム筒（１７）を通過した落下水によりタービン（４）を回転させます。この回転を発電機モーター（５）に伝動して、発電機モーターを回転させて発電機モーターから電気を発生させ続ける方法です。
【請求項７】
タービン（４）を回転させた落下水からの水圧、及び、水力により落下水は管底の開放口から自然的に水管外へと排水させます。
そして、水槽兼タンク内に浸水をして浮き上がり、最初の取水口（１３）に戻り再び落下水として落下させる方法です。
【請求項８】
装備、及び、水槽兼タンク内の水位を、水管（２）を縦にして水中に沈み込める深さの水位の水槽内水位（１２）の深さとします。
そして、水管（２）内の水位を、タービン（４）下部まで空気圧で管内の水を押し下げた水位の水管内水位（１８）の深さとする方法です。
【発明の詳細な説明】
【技術分野】
【０００１】大きい水槽及び、タンク内の水をタービンを回転させるための落下水として再利用しながら、水槽兼タンク内の水中で水力発電を行う技術分野です。
【背景技術】
【０００２】（１）高所に貯水ダムを設けて、この水を落下させ行う水力発電があります。
（２）高所の貯水ダムから落下させ発電した落下水を、下部の貯水ダムに貯め込んで再びこの水を上部ダムに汲み上げて行う揚水発電所があります。
（３）川の流れをせき止めて行う小規模な水力発電所があります。
【発明の開示】
【発明が解決しようとする課題】
【０００３】（１）大きな貯水ダムを設けて行う水力発電の課題です。
（２）水力発電所を建設する際の自然破壊の課題です。
（３）水の流れをせき止める課題です。
（４）水を使い捨てにしている課題です。
【課題を解決するための手段】
【０００４】（１）大きな水槽兼タンク内の水を再利用しながら、水槽兼タンク内の水中で水力発電を行う手段です。
（２）発電を行うための色々な装備とタービン等を施した本発明の水管を、水圧、又は、空気圧等により水管が浮き上がらない様に、水槽、及び、タンク内の水中に縦にして沈めて固定し設置する手段です。
（３）この水槽兼タンクを色々な場所、又は、水量が全くない場所等に設置して水力発電を行う手段です。
（４）設置した水管内に空気を注入して、管内の水を空気圧で管底へと押し下げて管底の開放口から自然的に排水させる手段です。
（５）水を落下させタービンを回転させるためには、水管内を空洞にする必要があります。この為に管内の空気を密閉して気密を保持させて、空洞を保ち、水を落下させ続ける手段です。
又は、密閉した空気圧により管底の開放口より管内に浸水してくる水を空気圧で防ぐ手段です。
（６）空洞が保持した時点で落水弁を開き、水を管内に落下させる手段です。
この落下水をゴム筒の中を通過させて、空気漏れを遮断させる手段です。
落下水によりタービンを回転させます。この回転を発電機モーターに伝動して、発電機モーターを回転させて、発電機モーターから電気を発生させ続ける手段です。
（７）タービンを回転させた落下水自らの水圧、及び、水力により落下水を管底へと押し下げて、管底の開放口から自然的に水槽及びタンク内に浸水をして浮上して最初の元の取水口に戻り、落下水として再び落下させる手段です。
（８）水管の上部を仕切板及び、密閉板で仕切り、密閉状態にして管内の気密を図り、管内を空洞にする手段です。
（９）落下水及び水を早く自然的に排水させるため等に、水管の最下部、及び、管底を筒抜け状態に開けた開放口にする手段です。
【発明の効果】
【０００５】（１）水を使い捨てにしない効果です。
（２）自然を破壊しない効果です。
（３）水力発電するための水が全くない場所でも、水力発電が可能な効果です。
【発明を実施するための最良の形態】
【実施例１】
【０００６】図に示す管（２）の上部に、水槽兼タンク（１）内の水槽内水位（１２）の水を自然的に吸い込んで落下させるための取水口（１３）を、水槽及びタンク内水位（１２）よりも下部と、落水弁（１５）よりも上部との間に、取水口（１３）を設ける形態です。この管内に空気を注入する為の空気、及び、エアー管（１０）とを設ける形態です。
この管（２）内の空気を密閉させて気密を保持させて、水を落下させるための空洞を作るための仕切板及び、密閉板（１４）を設けます。
この仕切板（１４）の上部に密閉弁、及び、落下弁（１５）と（１４）の下部に落下水を通過させるための先端を細くしたゴム筒（１７）とを取り付けます。
この管（２）の下部にタービン（４）を設けます。
落下水、及び、水を早く自然的に管外に排水させるためと、落下水、及び、水を早く自然的に、水槽及び、タンク内を浮上させて再び落下させるため等に管（２）の最下部、又は、管底を筒抜け状態に開けた開放口にします。
この様な管（２）を本発明の水管（２）とする形態です。
【実施例２】図に示す水管（２）が水槽、及び、タンク（１）内の水圧、又は、空気圧等により水管（２）が浮き上がらない様に、水管固定金具（３）又は、ボルト等で水槽、及び、タンク内の水槽内水位（１２）の水中に水管を縦にして沈めて固定し設置する形態です。
【実施例３】水力発電を行うための水量が全くない場所等に、水槽及び、タンクを設置して水力発電を行う形態です。
【実施例４】（１）縦に設置した水管（２）内の水を空気圧で管内水位（１８）まで押下げて管底の開放口から自然的に排水させるため。
（２）水管（２）内に水を落下させるために、管内水位（１８）までの上部の空気を密閉し保持して水を落下させるための空洞を作りだすため。
（３）水管（２）の管底の開放口から水が管内に浸水してくるのを空気圧で防ぐため等を行うために空気ホース、及び、エアー管（１０）により水管（２）内に空気を注入する形態です。
【実施例５】この空洞にした空気を、仕切板及び密閉板（１４）と、密閉弁及び落水弁（１５）とで密閉し、気密を保持してから水を管内に落下させ続けるための空洞を保持させる形態です。
【実施例６】水管内の空洞が保たれ保持した時点で、密閉弁及び落下弁（１５）を開いて、水槽内水位（１２）の水を取水口（１３）より自然的に吸い込んで水管内を落下させる形態です。
この落下水を、先端を細くしたゴム筒（１７）の中を通過させます。
この時に通過する水がゴム筒（１７）の細くした先端部で絞り込まれて、水とゴム筒（１７）との透間が無くなり、管内より管外に空気が洩れるのを遮断させる形態です。
【実施例７】この落下水によりタービン（４）を回転させます。この回転を発電機モーター（５）に伝動します。そして、発電機モーターを回転させて発電機モーターから電気を発生させ続ける形態です。
【実施例８】タービン（４）を回転させた落下水を落下水自らの水圧、及び、水力により管底の開放口より自然的に管外に押し出し排水をさせます。
そして、水槽及びタンク内を浮上して最初の取水口（１３）に自然的に戻り水を循環させて、再び落下水として落下させる形態です。
【実施例９】水槽及びタンク内の水位を、水管を縦にして沈められる深さの水位及び水槽内水位（１２）とする形態です。
水管内の水位をタービン（４）の下部まで水を空気圧で押し下げた水位及び、管内水位（１８）とする形態です。
【産業上の利用可能性】
【０００７】農産物のビニールハウスの電気などに利用可能です。水力発電をするための水量が全くない場所での利用が可能です。
【図面の簡単な説明】
【０００８】
【図１】水槽兼タンク（１）の立体断面図と、水管（２）の立体断面図です。
【符号の説明】
【０００９】（１）    水槽兼タンク
（２）    水管
（３）    水管固定金具
（４）    タービン
（５）    発電機モーター
（６）    配線
（７）    加台
（８）    ベース台
（９）    支柱及び引張ワイヤー
（１０）  エアーホース及びエアー管
（１１）  エアーバルブ
（１２）  水槽内水位
（１３）  取水口
（１４）  仕切板及び密閉板
（１５）  密閉弁及び落水弁
（１６）  弁開閉ハンドル
（１７）  ゴム管
（１８）  水管内水位
【図１】
2016138541.tif 000002